(57)【要約】  簡単に動物の排泄物の重量を計測する。ペット用トイレ（１）は、動物が載る支持台（１２）と、支持台（１２）から落ちた動物の尿を受ける排泄トレー（１３）と、尿を含む排泄トレー（１３）の重量を計測する第１重量計（２１）と、排泄トレー（１３）を運搬する運搬部（１６）とを備える。排泄トレー（１３）が、運搬部（１６）と一体となって第１重量計（２１）と支持台（１２）との間に挿入可能であり、排泄トレー（１３）が挿入された状態において、運搬部（１６）の重量は本体容器（１０）によって支持され、第１重量計（２１）は排泄トレー（１３）を支持する。
2017150086.tif 000002
【特許請求の範囲】
【請求項１】
動物が載る支持台と、
上記支持台から落ちた上記動物の排泄物を受ける計量トレーと、
上記計量トレーの重量を計測する重量計と、
上記計量トレーを運搬する運搬部とを備え、
上記計量トレーは、上記運搬部と一体となって上記重量計と上記支持台との間に挿入可能であり、
上記計量トレーが上記重量計と上記支持台との間に挿入された状態において、上記運搬部は上記重量計以外の部材によって支持され、上記重量計は上記計量トレーの重量を支持することを特徴とする動物用トイレ。
【請求項２】
上記運搬部は、上記計量トレーを載せて運び、
上記計量トレーが上記重量計と上記支持台との間に挿入された状態において、上記計量トレーは、上記運搬部から離れて上記重量計に載ることを特徴とする請求項１に記載の動物用トイレ。
【請求項３】
上記運搬部をスライドさせる挿入ガイドを備え、
上記運搬部を引き出すときに上記挿入ガイドが上記運搬部を持ち上げるように、上記挿入ガイドの一部が他の部分より高くなっていることを特徴とする請求項１または２に記載の動物用トイレ。
【請求項４】
上記計量トレーが上記重量計と上記支持台との間に挿入された状態において、上記計量トレーは、磁力によって上記重量計に引きつけられることを特徴とする請求項１から３のいずれか一項に記載の動物用トイレ。
【請求項５】
上記重量計の上面に凸部が形成されており、
上記計量トレーを引き出すと上記凸部が上記計量トレーを持ち上げることを特徴とする請求項４に記載の動物用トイレ。
【請求項６】
上記計量トレーには第１磁石が設けられ、
上記重量計には第２磁石が設けられ、
上記計量トレーが上記重量計と上記支持台との間に挿入された状態において、上記第１磁石または上記第２磁石の磁力によって、上記計量トレーは上記重量計に引きつけられ、
上記計量トレーを引き出したときに、上記第１磁石は上記第２磁石と反発することを特徴とする請求項４または５に記載の動物用トイレ。
【請求項７】
挿入された上記計量トレーの一部が上記重量計の一部に突き当たることにより、上記計量トレーの位置決めがされることを特徴とする請求項４から６のいずれか一項に記載の動物用トイレ。
【請求項８】
上記計量トレーは、上記運搬部に対して回転可能に接続されていることを特徴とする請求項１に記載の動物用トイレ。
【請求項９】
上記支持台には、上記排泄物が通過する穴またはメッシュが形成されていることを特徴とする請求項１から８のいずれか一項に記載の動物用トイレ。
【発明の詳細な説明】
【技術分野】
【０００１】
本発明は動物用トイレに関する。
【背景技術】
【０００２】
特許文献１には、尿透過性の仕切層と、仕切層の下に尿を受けるトレーとを備えるペット用トイレが開示されている。該トレーには、トレー内の尿を注ぎ出す注ぎ口が設けられている。
【先行技術文献】
【特許文献】
【０００３】
【特許文献１】日本国公開特許公報「特開2011-004664号公報」
【発明の概要】
【発明が解決しようとする課題】
【０００４】
特許文献１に記載の構成では、動物の排泄物の重量を計測するためには、ペット用トイレからトレーを引き出して、別に設けられる重量計に載せる必要がある。そのため、ペットの排泄物の量を計測するのには非常に手間が掛かっていた。【０００５】
本発明は、上記の問題点に鑑みてなされたものであり、その目的は、簡単に動物の排泄物の重量を計測可能な動物用トイレを実現することにある。
【課題を解決するための手段】
【０００６】
上記の課題を解決するために、本発明に係る動物用トイレは、動物が載る支持台と、上記支持台から落ちた上記動物の排泄物を受ける計量トレーと、上記計量トレーの重量を計測する重量計と、上記計量トレーを運搬する運搬部とを備え、上記計量トレーは、上記運搬部と一体となって上記重量計と上記支持台との間に挿入可能であり、上記計量トレーが上記重量計と上記支持台との間に挿入された状態において、上記運搬部は上記重量計以外の部材によって支持され、上記重量計は上記計量トレーの重量を支持する構成である。
【発明の効果】
【０００７】
本発明の一態様によれば、簡単に動物の排泄物の重量を計測可能な動物用トイレを実現することができる。
【図面の簡単な説明】
【０００８】
【図１】本発明の実施形態１に係るペット用トイレの構成を示す図である。
【図２】図１に示されるペット用トイレの、運搬部を挿入する方向に沿った断面図である。
【図３】図１に示されるペット用トイレの、排泄トレーおよび運搬部の斜視図である。
【図４】図１に示されるペット用トイレにおける、排泄トレーおよび運搬部の挿入の様子を示す断面図である。
【図５】本発明の実施形態２に係るペット用トイレの構成を示す、運搬部を挿入する方向に沿った断面図である。
【図６】図５に示されるペット用トイレの変形例を示す断面図である。
【図７】本発明の実施形態３に係るペット用トイレの構成を示す、運搬部を挿入する方向に沿った断面図である。
【図８】図７に示されるペット用トイレの、排泄トレーおよび運搬部の断面図である。
【図９】図１に示されるペット用トイレにおける、排泄トレーおよび運搬部の挿入の様子を示す断面図である。
【発明を実施するための形態】
【０００９】
〔実施形態１〕
（動物用トイレの構成）
図１は、本実施形態に係るペット用トイレの構成を示す図である。図１の（ａ）は、ペット用トイレ１の平面図であり、図１の（ｂ）（ｃ）は、ペット用トイレ１の側面図であり、図１の（ｄ）は、ペット用トイレ１の正面図である。図２は、運搬部１６を挿入する方向に沿った、ペット用トイレ１の断面図である。図２の（ａ）は、運搬部１６と本体容器１０との境界断面図であり、図２の（ｂ）は、運搬部１６の中心断面図である。図３は、排泄トレー１３および運搬部１６の斜視図である。図４は、ペット用トイレ１における、排泄トレー１３と運搬部１６との挿入の様子を示す断面図である。図４の（ａ）は、挿入を開始する時の様子を示し、図４の（ｂ）は、排泄トレー１３が第１重量計２１の上方に持ち上げられる時の様子を示し、図４の（ｃ）は、排泄トレー１３が運搬部１６から離脱を開始する時の様子を示し、図４の（ｄ）は、離脱と挿入とが完了した時の様子を示す。
【００１０】
ペット用トイレ１（動物用トイレ）は、ペットである動物の体重および排泄物の重量を計測する計測装置としての機能を有する。ペット用トイレ１は、本体容器１０（重量計以外の部材）、カバー１１、支持台１２、排泄トレー１３（計量トレー）、吸収シート１４、支持部１５、運搬部１６、第１重量計２１（重量計）、第２重量計２２、および制御装置２３を備える。図２〜４では、カバー１１は省略している。
【００１１】
本体容器１０は、カバー１１と、支持台１２と、運搬部１６と、を支持する。本体容器１０の底部には、中央の領域（第１重量計２１に対応する領域）に穴が形成されており、本体容器１０の側面（正面）には、排泄トレー１３および運搬部１６の挿入および引出しが可能な穴が形成されている。本体容器１０の内部（対向する内側側面）には、運搬部１６をスライド（挿入と引出し）させる１対の第１ガイドレール３０（挿入ガイド）および１対の第２ガイドレール３１が設けられており、運搬部１６の挿入を停止させるための障壁３５が設けられている。
【００１２】
カバー１１は、ペット用トイレ１に乗った動物の四方を囲むカバーであるが、これに限らず、例えば、三方を囲むカバーでもよい。
【００１３】
支持台１２は、動物がそこに乗り、排泄をする台である。支持台１２の下面にはメッシュ１２ａが形成されている。動物の排泄物（ここでは尿）は、メッシュ１２ａを通過して、排泄トレー１３の上に落ちる。支持台１２は、尿が付着して溜まらないように、尿が流れやすいように、撥水性を有していてもよい。ここでは、メッシュ１２ａは、液体は通過させるが、糞および動物が咥えてきた物体（おもちゃ）等は通過させない。なお、支持台１２には、メッシュ１２ａの代わりに、排泄物が通過する穴が形成されていてもよい。支持台１２は、本実施形態では凹型の容器のような形状であるが、支持台１２の形状は任意である。
【００１４】
排泄トレー１３は、支持台１２の下、すなわち第１重量計２１と支持台１２との間の所定位置に配置される、排泄物を受ける部材である。排泄トレー１３が受ける範囲は、支持台１２のメッシュ１２ａが形成された領域を含む（該領域より広い）。排泄トレー１３上に、吸収シート１４を配置してもよい。吸収シート１４は、尿等の液体を吸収（保持）するシート（保持体）である。排泄トレー１３は、運搬部１６により、本体容器１０の側面に形成された穴から挿入および引出されることができる。
【００１５】
支持部１５は、第１重量計２１、および本体容器１０を支持する台板である。ここでは、支持部１５上に制御装置２３が配置されており、制御装置２３上に第１重量計２１が配置されている。このように、支持部１５は、制御装置２３を介して第１重量計２１を支持してもよい。
【００１６】
運搬部１６は、排泄トレー１３を挿入および引出すときに、排泄トレー１３を運搬する部材である。運搬部１６は、排泄トレー１３が運搬されている間は、排泄トレー１３を支持するが、排泄トレー１３が支持台１２の下の所定位置に到達すると、排泄トレー１３は、運搬部１６から離脱する。運搬部１６は、排泄トレー１３を運搬しながら、本体容器１０の側面に形成された穴から挿入および引出されることができる。
【００１７】
第１重量計２１は、本体容器１０の底部の穴を貫通して排泄トレー１３に接触し、排泄トレー１３を支持する。第１重量計２１は、例えば、ロードセルを含む。第１重量計２１は、吸収シート１４および排泄物を含む排泄トレー１３の重量を計測する。排泄トレー１３には、支持台１２および動物の重量は掛からない。第１重量計２１は、計測値を制御装置２３に出力する。なお、本実施形態では１つの第１重量計２１が設けられているが、排泄トレー１３の重量を計測する複数の第１重量計２１を設けてもよい。
【００１８】
第２重量計２２は、少なくとも支持台１２を含む構造物を支持する。ここでは、支持部１５の下側に４つの第２重量計２２が配置されている。第２重量計２２の下端は、床等に接触し、第２重量計２２は支持部１５を支持する。第２重量計２２は、支持台１２、本体容器１０、カバー１１、支持部１５、運搬部１６、制御装置２３、第１重量計２１、および排泄トレー１３を含む構造物を支持する。第２重量計２２は、例えば、ロードセルを含む。第２重量計２２は、支持台１２、本体容器１０、カバー１１、支持部１５、運搬部１６、制御装置２３、第１重量計２１、および排泄トレー１３を含む構造物と動物との合計の重量を計測する。第２重量計２２は、計測値を制御装置２３に出力する。
【００１９】
制御装置２３は、第１重量計２１および第２重量計２２の測定値から、動物の体重および排泄物の重量の値を求める。ここでは、制御装置２３は、制御基板等を収める筐体を備える。制御装置２３は、電源スイッチ２４を備える。
【００２０】
（排泄トレーおよび運搬部の構成）
まず、排泄トレー１３および運搬部１６の構成について、説明する。
【００２１】
図３の（ａ）に示されるように、排泄トレー１３は、動物の排泄物を受けるための受け部１３ａと、運搬部１６に載置されるための載置部１３ｂと、を含む。ここでは、受け部１３ａは、吸収シート１４を配置する凹部であり、載置部１３ｂは、受け部１３ａの周囲を取り囲む水平部である。図示されないが、受け部１３ａの下面には、挿入方向に沿った畝（リブ）が形成されている。このリブは、排泄トレー１３が第１重量計２１の上をスライド（摺動）するときに、排泄トレー１３の摺動を妨げる摩擦を低減する。
【００２２】
図３の（ｂ）に示されるように、運搬部１６は、排泄トレー１３の受け部１３ａが収まる開口部１６ａと、排泄トレー１３の載置部１３ｂが載置される載置部１６ｂと、排泄トレー１３の水平方向の位置を規定する立ち上がり部１６ｃと、挿入方向の手前側に設けられた挿入および引出しのときに持ち手になる持ち手部１６ｄと、を含む。
【００２３】
運搬部１６は排泄トレー１３を載置して運搬する（載せて運ぶ）ので、排泄トレー１３および運搬部１６の構成は単純であり、容易に分離可能である。このため、運搬部１６および排泄トレー１３の洗浄および殺菌などが容易である。
【００２４】
運搬部１６の挿入方向に沿った両側側面には、挿入方向の奥側に、第１ガイドレール３０に対応する第１ガイドピン３２および第２ガイドピン３３と、挿入方向の手前側に、第２ガイドレール３１に対応する第３ガイドピン３４と、が設けられている。ここでは、第１〜第３ガイドピン３２〜３４は円柱状の突起であるが、これに限らず、第１〜第２ガイドレール３０〜３１の上を滑動可能であればよく、例えば、リブであってもよい。
【００２５】
（排泄トレーおよび運搬部の挿入）
次に、支持台１２と第１重量計２１との間への排泄トレー１３および運搬部１６の挿入について、説明する。
【００２６】
図４の（ａ）に示されるように、ユーザは、排泄トレー１３を運搬部１６に、排泄トレー１３が運搬部１６と一体となってスライドするように、載置する。運搬部１６の持ち手部１６ｄを把持して、排泄トレー１３と共に運搬部１６を、本体容器１０の側面に形成された穴に、挿入し始める。そして、第１ガイドピン３２が第１ガイドレール３０の導入部３０ａに行き当たり、第１ガイドピン３２と第２ガイドピン３３とが、第１ガイドレール３０の上を滑動する。
【００２７】
図４の（ｂ）に示されるように、挿入方向の奥側に向かって上昇するように傾斜している第１ガイドレール３０の導入部３０ａのおかげで、排泄トレー１３と共に運搬部１６は、挿入されながら、挿入方向の奥側を持ち上げられる。そして、第１ガイドレール３０の導入部３０ａは、略水平な上段部３０ｂ（挿入ガイドの一部）に続いている。第１ガイドピン３２と第２ガイドピン３３とが第１ガイドレール３０の上段部３０ｂを滑動するように、ユーザは、排泄トレー１３と共に運搬部１６を挿入し続ける。
【００２８】
そして、第３ガイドピン３４が第２ガイドレール３１の導入部３１ａに行き当たり、第３ガイドピン３４が、第２ガイドレール３１の上を滑動する。そして、挿入方向の奥側に向かって上昇するように傾斜している第２ガイドレール３１の導入部３１ａのおかげで、挿入されながら、排泄トレー１３と共に運搬部１６は、挿入方向の手前側を持ち上げられる。そして、第２ガイドレール３１の導入部３１ａは、略水平な上段部３１ｂに続いている。第３ガイドピン３４が第２ガイドレール３１の上段部３１ｂを滑動するように、ユーザは、排泄トレー１３と共に運搬部１６を挿入し続ける。
【００２９】
このように、運搬部１６は、排泄トレー１３が第１重量計２１に接触しないように、第１重量計２１の上方へ排泄トレー１３を持ち上げる。そして、第２ガイドレール３１の上段部３１ｂは、挿入方向の奥側に向かって下降するように傾斜している移行部３１ｃに続いている。
【００３０】
図４の（ｃ）に示されるように、第１ガイドレール３０の移行部３０ｃを第１ガイドピン３２と第２ガイドピン３３とが滑り落ちる。これにより、排泄トレー１３と共に運搬部１６は自重により、下がりながら第１重量計２１と支持台１２との間に挿入される。このとき、排泄トレー１３は、第１重量計２１の上方にあるため、運搬部１６が滑り落ちる途中で、第１重量計２１に支持されるようになり、運搬部１６から離脱する。つまり、運搬部１６は、下がることにより、排泄トレー１３を第１重量計２１の上に残し、かつ、排泄トレー１３は、運搬部１６の開口部１６ａおよび／または立ち上がり部１６ｃにより、支持台１２の下の所定位置まで押し進められる。
【００３１】
また、第２ガイドレール３１の移行部３１ｃを第３ガイドピン３４が滑り落ちる。これにより、排泄トレー１３は完全に、運搬部１６から離脱し、第１重量計２１に支持されるようになる。また、第２ガイドレール３１の移行部３１ｃの傾斜は急であるため、運搬部１６は自重により、本体容器１０から抜け落ちないようにロックされる。
【００３２】
図４の（ｄ）に示されるように、運搬部１６は障壁３５に突き当たり、排泄トレー１３および運搬部１６の挿入は完了する。第１ガイドレール３０の移行部３０ｃは、略水平な下段部３０ｄ（挿入ガイドの他の部分）に続いており、第２ガイドレール３１の移行部３１ｃは、略水平な下段部３１ｄに続いている。
【００３３】
次に、排泄トレー１３および運搬部１６の挿入が完了した状態について、図２に基づき説明する。
【００３４】
運搬部１６は、第１重量計２１に支持されず、本体容器１０に第１〜第３ガイドピン３２〜３４と第１〜第２ガイドレール３０〜３１を介して支持されている。排泄トレー１３の重量は、第１重量計２１に支持されている。排泄トレー１３の載置部１３ｂは、運搬部１６の載置部１６ｂから離間しており、運搬部１６に支持されていない。このため、第１重量計２１は排泄物の重量を正確に測定することができる。したがって、ペット用トイレ１から排泄トレー１３を取り外すことなく、挿入したまま、第１重量計２１で簡単に動物の排泄物の重量を計測することができる。
【００３５】
第１ガイドピン３２および第２ガイドピン３３は、水平な下段部３０ｄに位置し、第２ガイドピン３３は、挿入方向の奥側に向かって下降するように傾斜している移行部３０ｃと水平な下段部３０ｄとの境界付近に位置する。第３ガイドピン３４は、水平な下段部３１ｄに位置し、挿入方向の奥側に向かって下降するように傾斜している移行部３１ｃと水平な下段部３１ｄとの境界付近に位置する。運搬部１６の挿入方向の奥側側面は障壁３５に、突き当たっている。運搬部１６は、本体容器１０内の所定位置に正確に保持される。運搬部１６は、排泄トレー１３の位置を規定する。排泄トレー１３は、運搬部１６の開口部１６ａおよび／または立ち上がり部１６ｃにより、支持台１２の下の所定位置に正確に保持される。したがって、運搬部１６を用いて排泄トレー１３を、支持台１２と第１重量計２１との間の所定位置に容易に挿入することができる。また、排泄トレー１３の位置を安定させることが可能になり、排泄物の重量の計測精度を高くすることができる。
【００３６】
（排泄トレーおよび運搬部の引出し）
ユーザは、運搬部１６の持ち手部１６ｄを、第３ガイドピン３４が第２ガイドレール３１の移行部３１ｃを超えるように、持ち上げる。これにより、運搬部１６の自重によるロックを解除、運搬部１６を引き出すことを可能にする。挿入するときとは逆に、運搬部１６は、第１ガイドレール３０の移行部３０ｃのおかげで、引き出されながら持ち上げられる。運搬部１６は、排泄トレー１３を押し出しながら、第１重量計２１から持ち上げ、排泄トレー１３と一体となる。排泄トレー１３と共に運搬部１６は、第１重量計２１と上記支持台１２との間から引出される。
【００３７】
そして、第１ガイドピン３２と第２ガイドピン３３とが第１ガイドレール３０の上段部３０ｂを滑動するように、ユーザは、排泄トレー１３と共に運搬部１６を引出し続ける。運搬部１６は、排泄トレー１３が第１重量計２１に接触しないように、排泄トレー１３を運搬する。そして、排泄トレー１３と共に運搬部１６は、本体容器１０の側面に形成された穴から、引出される。
【００３８】
〔実施形態２〕
本発明の他の実施形態について、説明する。なお、説明の便宜上、上記実施形態にて説明した部材と同じ機能を有する部材については、同じ符号を付記し、その説明を省略する。
【００３９】
図５は、運搬部１６を挿入する方向に沿った、ペット用トイレ２の断面図である。図５の（ａ）は、運搬部１６の中心断面図であり、図２の（ｂ）に対応する。図５の（ｂ）は、図５の（ａ）の囲みＡの拡大図である。図６の（ａ）〜（ｃ）は、ペット用トイレ２の排泄トレー１３と第１重量計２１との変形例１〜３を説明する断面図であり、図５の（ｂ）に対応する。
【００４０】
ペット用トイレ２（動物用トイレ）は、ペットである動物の体重および排泄物の重量を計測する計測装置としての機能を有する。ペット用トイレ２は、本体容器１０（重量計以外の部材）、カバー１１、支持台１２、排泄トレー１３（計量トレー）、吸収シート１４、支持部１５、運搬部１６、第１重量計２１（重量計）、第２重量計２２、および制御装置２３を備える。図５〜６では、カバー１１は省略している。
【００４１】
ペット用トイレ２は、次の２つの変更を除き、上記実施形態１のペット用トイレ１と同等である。１つは、排泄トレー１３の受け部１３ａの下面に第１磁石４０を設け、第１重量計２１の上面に第２磁石４１を設けたことである。もう１つは、排泄トレー１３の受け部１３ａの下面に凹部４６を形成し、第１重量計２１の上面に凸部４５を形成したことである。
【００４２】
第１磁石４０と第２磁石４１とは、排泄トレー１３が支持台１２の下の所定位置に位置するときに、異なる磁極を互いに向け合うように重なり、引き合うように、排泄トレー１３と第１重量計２１とにそれぞれ配置されている。第１磁石４０と第２磁石４１との間の磁気的引力（磁力）により、排泄トレー１３は第１重量計２１に引きつけられるため、排泄トレー１３の位置が安定し、排泄物の重量の計測精度を高くすることができる。
【００４３】
ここでは、凸部４５と凹部４６とは、第１磁石４０と第２磁石４１とに対して、挿入方向の手前側に設けられている。排泄トレー１３が支持台１２の下の所定位置に位置するとき、凸部４５は凹部４６の内に収まっており、排泄トレー１３は、第１重量計２１と近接している。排泄トレー１３を引き出すときに、凸部４５は凹部４６からずれて、排泄トレー１３を持ち上げる。これにより、排泄トレー１３は第１重量計２１から離間し、第１磁石４０も第２磁石４１から離間する。距離に応じて、第１磁石４０と第２磁石４１との間の磁気的引力は急速に弱まり、排泄トレー１３を第１重量計２１の上で摺動すること、および第１重量計２１から持ち上げること、が容易になる。
【００４４】
（変形例１）
第１磁石４０と第２磁石４１との何れか一方を、強磁性体に置換してもよい。
【００４５】
図６（ａ）に示されるように、第１磁石４０を鉄片４４に置換しても、排泄トレー１３が支持台１２の下の所定位置に位置するときに、鉄片４４と第２磁石４１との間の磁気的引力が生じる。
【００４６】
（変形例２）
凸部４５の代わりに、排泄トレー１３を引き出すときに、磁気的反発力が生じるように、さらなる磁石を設けてもよい。
【００４７】
図６（ｂ）に示されるように、排泄トレー１３の受け部１３ａの下面に第１磁石４０に加えて、第４磁石４３を設け、第１重量計２１の上面に第２磁石４１に加えて、第３磁石４２を設ける。
【００４８】
第３磁石４２と第４磁石４３とは、排泄トレー１３が支持台１２の下の所定位置に位置するときに、異なる磁極を互いに向け合って重なり、引き合うように、第２磁石４１と第１磁石４０とに隣接して挿入方向の手前側に、排泄トレー１３と第１重量計２１とにそれぞれ配置されている。第１磁石４０と第２磁石４１との間の磁気的引力により、排泄トレー１３は第１重量計２１に引きつけられるため、排泄トレー１３の位置が安定し、排泄物の重量の計測精度を高くすることができる。
【００４９】
第１磁石４０（第１磁石）と第３磁石４２（第２磁石）とは、排泄トレー１３を引き出すときに、第１磁石４０と第３磁石４２とが、同じ磁極を互いに向け合って重なり、反発し合うように、排泄トレー１３と第１重量計２１とにそれぞれ配置されている。第１磁石４０と第３磁石４２との間の磁気的斥力が、排泄トレー１３を第１重量計２１から持ち上げるため、排泄トレー１３を第１重量計２１の上で摺動すること、および第１重量計２１から持ち上げること、が容易になる。なお、第４磁石４３を設けずに、第１磁石４０と第２磁石４１と第３磁石４２とを設けてもよく、この場合、第２磁石４１を強磁性体に置換してもよい。また、第２磁石４１を設けずに、第１磁石４０と第３磁石４２と第４磁石４３とを設けてもよく、この場合、第４磁石４３を強磁性体に置換してもよい。
【００５０】
（変形例３）
第１磁石４０と第２磁石４１とは、排泄トレー１３が支持台１２の下の所定位置に位置するときに、少しずれて重なるように、排泄トレー１３と第１重量計２１とにそれぞれ配置されてもよい。
【００５１】
図６（ｃ）に示されるように、第１磁石４０は、排泄トレー１３が支持台１２の下の所定位置に位置するときに、第３磁石４２より挿入方向の手前側に位置するように配置される。排泄トレー１３が支持台１２の下の所定位置に位置するときに、第１磁石４０と第２磁石４１との間の磁気的引力の水平分力が、排泄トレー１３を挿入方向の奥側に引っ張る。
【００５２】
さらに、排泄トレー１３と第１重量計２１とにそれぞれ段差部４８（計量トレーの一部）と止め部４７（重量計の一部）とを、排泄トレー１３が支持台１２の下の所定位置に位置まで挿入されたときに、排泄トレー１３の段差部４８が第１重量計２１の止め部４７に突き当たるように、形成する。段差部４８が止め部４７に突き当たることにより、排泄トレー１３は、支持台１２と第１重量計２１との間の所定位置より挿入方向の奥側に進まないように、位置決めされる。この位置決めにより、排泄トレー１３の位置が安定し、排泄物の重量の計測精度を高くすることができる。
【００５３】
第１磁石４０と第２磁石４１とは、排泄トレー１３が支持台１２の下の所定位置に位置するときから、既にずれているため、排泄トレー１３を引き出すときに、排泄トレー１３を第１重量計２１の上で摺動すること、および第１重量計２１から持ち上げること、が容易である。
【００５４】
〔実施形態３〕
本発明のさらに他の実施形態について、説明する。なお、説明の便宜上、上記実施形態にて説明した部材と同じ機能を有する部材については、同じ符号を付記し、その説明を省略する。
【００５５】
図７は、運搬部１６を挿入する方向に沿った、ペット用トイレ３の断面図である。図８は、排泄トレー１３および運搬部１６の断面図である。図９は、ペット用トイレ１における、排泄トレー１３と運搬部１６との挿入の様子を示す断面図である。図９の（ａ）は、挿入を開始する時の様子を示し、図９の（ｂ）は、排泄トレー１３が第１重量計２１の上に乗り上げる時の様子を示し、図９の（ｃ）は、排泄トレー１３が第１重量計２１の上を摺動する時の様子を示し、図９の（ｄ）は、挿入が完了した時の様子を示す。
【００５６】
ペット用トイレ３（動物用トイレ）は、ペットである動物の体重および排泄物の重量を計測する計測装置としての機能を有する。ペット用トイレ３は、本体容器１０（重量計以外の部材）、カバー１１、支持台１２、排泄トレー１３（計量トレー）、吸収シート１４、支持部１５、運搬部１６、第１重量計２１（重量計）、第２重量計２２、および制御装置２３を備える。図７〜９では、カバー１１は省略している。
【００５７】
ペット用トイレ３は、次の２つの変更を除き、上記実施形態１のペット用トイレ１と同等である。１つは、第１ガイドレール３０、第２ガイドレール３１、第１ガイドピン３２、第２ガイドピン３３、および第３ガイドピン３４から成るガイド機構が設けられていないことである。もう１つは、排泄トレー１３と運搬部１６とが、回転可能に連結（接続）されている構成となっていることである。
【００５８】
（排泄トレーおよび運搬部の構成）
まず、排泄トレー１３および運搬部１６の構成について、説明する。
【００５９】
排泄トレー１３は、動物の排泄物を受けるための受け部１３ａと、第１重量計２１の上へ排泄トレー１３が乗り上げるための導入部１３ｃと、運搬部１６と回転可能に連結するための連結部１３ｄ、を含む。図示されないが、受け部１３ａの下面には、挿入方向に沿った畝（リブ）が形成されている。導入部１３ｃは、挿入方向の奥側に向かって上昇するように傾斜している。
【００６０】
運搬部１６は、排泄トレー１３の連結部１３ｄと回転可能に連結するための連結部１６ｅと、挿入方向の手前側に設けられた挿入および引出しのときに持ち手になる持ち手部１６ｄと、を含む。排泄トレー１３の連結部１３ｄの小孔に、運搬部１６の連結部１６ｅの連結ピンが、所定角度範囲内で回転可能なように、嵌合されている。
【００６１】
（排泄トレーおよび運搬部の挿入および引出し）
次に、支持台１２と第１重量計２１との間への排泄トレー１３および運搬部１６の挿入について、説明する。
【００６２】
図９の（ａ）に示されるように、ユーザは、排泄トレー１３が連結された運搬部１６の持ち手部１６ｄを把持して、排泄トレー１３と共に運搬部１６を、本体容器１０の側面に形成された穴に、挿入し始める。
【００６３】
図９の（ｂ）に示されるように、排泄トレー１３の導入部１３ｃが第１重量計２１の上面の手前側の角に行き当たり、排泄トレー１３は第１重量計２１の上面の上に乗り上げる。
【００６４】
図９の（ｃ）に示されるように、排泄トレー１３の受け部１３ａの下面が、第１重量計２１の上面の上を摺動するように、ユーザは、排泄トレー１３が連結された運搬部１６を挿入し続ける。
【００６５】
図９の（ｄ）に示されるように、排泄トレー１３の導入部１３ｃの先端は障壁３５に突き当たる。排泄トレー１３および運搬部１６が奥まで挿入された状態において運搬部１６は、本体容器１０に直接に支持され固定される。排泄トレー１３は、運搬部１６に対して回転可能であるため、排泄トレー１３の重量は、支持台１２の下の所定位置において、第１重量計２１に支持されている。
【００６６】
そして、挿入するときとは逆に、ユーザは運搬部１６の持ち手部１６ｄを把持して、排泄トレー１３と連結された運搬部１６を、本体容器１０の側面に形成された穴から、引出す。
【００６７】
したがって、ガイド機構（第１ガイドレール３０、第２ガイドレール３１、第１ガイドピン３２、第２ガイドピン３３、および第３ガイドピン３４）を設けなくても、上記実施形態１と同様に、運搬部１６により排泄トレー１３を容易に、第１重量計２１と支持台１２との間に挿入することができる。ガイド機構を設けなくても、上記実施形態１と同様に、挿入が完了した状態において、排泄トレー１３は第１重量計２１の上に載置され、第１重量計２１に支持される。ガイド機構を設けなくても、上記実施形態１と同様に、挿入が完了した状態において、運搬部１６は、本体容器１０に支持されるが、排泄トレー１３は運搬部１６に対して回転可能であるため、運搬部１６の重量は、第１重量計２１の計測に影響しない。
【００６８】
なお、上記各実施の形態において動物用トイレ（ペット用トイレ１，２，３）は、第２重量計２２によって支持台に乗った動物の体重も計測できるものとして説明をしたが、本発明において動物の体重を計測する機能は必須ではなく、排泄物の重量を計測できる機能を有していればよい。
【００６９】
また、上記各実施の形態において、運搬部１６にガイドピン、本体容器１０の内部にガイドレール３０、３１を設けていたが、この組合せに限定されることは無く、運搬部１６にガイドレール、本体容器１０の内部にピンを設ける組合せであってもよい。
【００７０】
〔まとめ〕
本発明の態様１に係る動物用トイレ（ペット用トイレ１，２，３）は、動物が載る支持台（１２）と、上記支持台から落ちた上記動物の排泄物（尿）を受ける計量トレー（排泄トレー１３）と、上記計量トレーの重量を計測する重量計（第１重量計２１）と、上記計量トレーを運搬する運搬部（１６）とを備え、上記計量トレーは、上記運搬部と一体となって上記重量計と上記支持台との間に挿入可能であり、上記計量トレーが上記重量計と上記支持台との間に挿入された状態において、上記運搬部は上記重量計以外の部材（本体容器１０）によって支持され、上記重量計は上記計量トレーの重量を支持する構成である。
【００７１】
上記の構成によれば、運搬部によって計量トレーを容易に支持台と重量計との間に配置することができる。支持台に載った動物からの排泄物は計量トレーに受けられる。また、運搬部は重量計以外の部材によって支持されるので、重量計は排泄物の重量を正確に測定することができる。よって、動物用トイレから計量トレーを取り外すことなく、簡単に動物の排泄物の重量を計測することができる。
【００７２】
本発明の態様２に係る動物用トイレ（ペット用トイレ１，２）は、上記の態様１において、上記運搬部（１６）は、上記計量トレー（排泄トレー１３）を載せて運び、上記計量トレーが上記重量計（第１重量計２１）と上記支持台との間に挿入された状態において、上記計量トレーは、上記運搬部から離れて上記重量計に載る構成としてもよい。
【００７３】
上記構成によれば、運搬部は、計量トレーを載せて運ぶ。このため運搬部と計量トレーとの構成を単純にすることができ、運搬部および計量トレーの洗浄および殺菌を容易にすることができる。計量トレーは運搬部から離れることにより、計量トレーが重量計と支持台との間に挿入された状態において、運搬部は重量計以外の部材によって支持され、重量計は計量トレーの重量を支持する構成を確実に実現できる。
【００７４】
本発明の態様３に係る動物用トイレ（ペット用トイレ１，２）は、上記の態様１または２において、上記運搬部（１６）をスライドさせる挿入ガイド（第１ガイドレール３０）を備え、上記運搬部を引き出すときに上記挿入ガイドが上記運搬部を持ち上げるように、上記挿入ガイドの一部（上段部３０ｂ）が他の部分（下段部３０ｄ）より高くなっている構成としてもよい。
【００７５】
上記構成によれば、運搬部を引き出すときに、挿入ガイドの一部は運搬部を持ち上げる。持ち上げられた運搬部は、計量トレーを重量計から持ち上げ、計量トレーは運搬部と一体となって上記重量計と上記支持台との間から引出し可能である。
【００７６】
本発明の態様４に係る動物用トイレ（ペット用トイレ２）は、上記の態様１から３において、上記計量トレー（排泄トレー１３）が上記重量計（第１重量計２１）と上記支持台（１２）との間に挿入された状態において、上記計量トレーは、磁力（磁気的引力）によって上記重量計に引きつけられる構成としてもよい。
【００７７】
上記構成によれば、計量トレーは、磁力により重量計に引きつけられるため、計量トレーは重量計の上で安定し、重量計による排泄物の重量の計測精度を高くすることができる。
【００７８】
本発明の態様５に係る動物用トイレ（ペット用トイレ２）は、上記の態様４において、上記重量計（第１重量計２１）の上面に凸部（４５）が形成されており、上記計量トレー（排泄トレー１３）を引き出すと上記凸部が上記計量トレーを持ち上げる構成としてもよい。
【００７９】
上記構成によれば、計量トレーを引き出すと凸部が計量トレーを持ち上げるため、計量トレーを重量計に引きつける磁力が弱まる。これにより、計量トレーをスライドさせることが容易になる。
【００８０】
本発明の態様６に係る動物用トイレ（ペット用トイレ２）は、上記の態様４または５において、上記計量トレー（排泄トレー１３）には第１磁石（第１磁石４０）が設けられ、上記重量計（第１重量計２１）には第２磁石（第３磁石４２）が設けられ、上記計量トレーが上記重量計と上記支持台との間に挿入された状態において、上記第１磁石または上記第２磁石の磁力（磁気的引力）によって、上記計量トレーは上記重量計に引きつけられ、、上記計量トレーを引き出したときに、上記第１磁石は上記第２磁石と反発する構成としてもよい。
【００８１】
上記構成によれば、計量トレーを引き出すと第１磁石は、第２磁石と反発するため、計量トレーが持ち上げられる。これにより、計量トレーをスライドさせる（引き出す）ことが容易になる。
【００８２】
本発明の態様７に係る動物用トイレ（ペット用トイレ２）は、上記の態様４から６において、挿入された上記計量トレー（排泄トレー１３）の一部（段差部４８）が上記重量計（第１重量計２１）の一部（止め部４７）に突き当たることにより、上記計量トレーの位置決めがされる構成としてもよい。
【００８３】
上記構成によれば、計量トレーの一部が重量計の一部に突き当たることにより、上記計量トレーの位置決めがされる。この位置決めにより、計量トレーの位置が安定し、排泄物の重量の計測精度を高くすることができる。
【００８４】
本発明の態様８に係る動物用トイレ（ペット用トイレ３）は、上記の態様１において、上記計量トレー（排泄トレー１３）は、上記運搬部（１６）に対して回転可能に接続されている構成としてもよい。
【００８５】
本発明の態様９に係る動物用トイレ（ペット用トイレ１，２，３）は、上記の態様１から８のいずれか一項において、上記支持台（１２）には、上記排泄物（尿）が通過する穴またはメッシュ（１２ａ）が形成されている構成としてもよい。
【００８６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８７】
１、２、３  ペット用トイレ（動物用トイレ）
１０  本体容器（重量計以外の部材）
１２  支持台、１２ａ  メッシュ、１３  排泄トレー（計量トレー）、１６  運搬部
２１  第１重量計（重量計）、２２  第２重量計
３０  第１ガイドレール（挿入ガイド）、３０ｂ  上段部（挿入ガイドの一部）、３０ｄ
下段部（挿入ガイドの他の部分）
４０  第１磁石（第１磁石）、４２  第３磁石（第２磁石）
４５  凸部、４７  止め部（重量計の一部）、４８  段差部（計量トレーの一部）
【図１】
2017150086.tif 000003
【図２】
2017150086.tif 000004
【図３】
2017150086.tif 000005
【図４】
2017150086.tif 000006
【図５】
2017150086.tif 000007
【図６】
2017150086.tif 000008
【図７】
2017150086.tif 000009
【図８】
2017150086.tif 000010
【図９】
2017150086.tif 000011
【国際調査報告】
2017150086.tif 000012
2017150086.tif 000013
2017150086.tif 000014
2017150086.tif 000015